(57)【特許請求の範囲】
【請求項１】
畳み込み符号化された送信データを変調した送信信号を受信し、該受信した信号から送信データを再生する受信装置であって、
前記受信した信号を所定の周波数帯域の信号に変換する周波数変換手段と、
デジタルフィルタを含み、前記所定の周波数帯域の信号を入力とし、該信号が伝送路で受けた歪みを補正して信号を復調する等化手段と、
前記等化手段の出力及び前記所定の周波数帯域の信号に基づいて、前記等化手段の前記デジタルフィルタの係数を生成する等化係数算出手段と、
前記等化係数算出手段で生成された前記係数に基づいて、前記等化手段の出力の信頼性を評価し、評価結果を信頼性情報として出力する信頼性評価手段と、
前記等化手段の出力及び前記信頼性情報をもとにビタビ復号処理を行って送信データを再生するビタビ復号手段とを備え、
前記等化手段は、前記等化係数算出手段の出力に基づいて、前記所定の周波数帯域の信号に対する補正を行い、
前記信頼性評価手段は、
前記等化係数算出手段で生成された前記係数を離散フーリエ変換する等化係数フーリエ変換手段と、
前記等化係数フーリエ変換手段の出力に基づいて前記信頼性情報を生成する信頼性情報生成手段と
を備える
ことを特徴とする受信装置。
【請求項２】
前記信頼性情報生成手段は、
前記等化係数フーリエ変換手段の出力の、送信周波数帯域内成分の分散値を算出する帯域内分散算出手段と、
所定の基準値をもとに前記帯域内分散算出手段で算出された分散値を前記信頼性情報に変換する信頼性情報変換手段と
を備え、前記信頼性情報変換手段は、前記分散値が小さいほど、前記信頼性情報としてより高い信頼性を示すものを出力する
ことを特徴とする請求項１に記載の受信装置。
【請求項３】
前記信頼性情報生成手段は、
前記等化係数フーリエ変換手段の出力の送信周波数帯域内の最大ゲインと最小ゲインの差分絶対値が小さいほど、前記信頼性情報としてより高い信頼性を示すものを出力する
ことを特徴とする請求項１に記載の受信装置。
【請求項４】
前記信頼性情報生成手段は、
前記等化係数フーリエ変換手段の出力の前記送信周波数帯域内の最大ゲインと最小ゲインの差分絶対値に応じた重み係数を求める重み係数決定手段と、
前記等化係数フーリエ変換手段の出力の前記送信周波数帯域内の平均ゲインを求める帯域内平均ゲイン算出手段と、
前記帯域内平均ゲイン算出手段で求められた前記平均ゲインと、前記重み係数決定手段で求められた前記重み係数と、所定の基準値をもとに、前記信頼性情報を生成する重み付け演算手段と
を備えることを特徴とする請求項３に記載の受信装置。
【請求項５】
畳み込み符号化された送信データを変調した送信信号を第１乃至第Ｎのアンテナ（Ｎは２以上の整数）で受信し、ダイバーシチ合成して送信データを再生する受信装置であって、
それぞれ前記第１乃至第Ｎのアンテナで受信した信号を所定の周波数帯域に変換して第１乃至第Ｎの所定の周波数帯域の信号を生成する周波数変換手段と、
各々デジタルフィルタを含み、それぞれ前記第１乃至第Ｎの所定の周波数帯域の信号を入力とし、前記第１乃至第Ｎのアンテナで受信した信号が伝送路で受けた歪みを補正して、前記受信した信号を復調する第１乃至第Ｎの等化手段と、
それぞれ前記第１乃至第Ｎの等化手段の出力及び前記第１乃至第Ｎの所定の周波数帯域の信号に基づいて、前記第１乃至第Ｎの等化手段の前記デジタルフィルタの係数を生成する第１乃至第Ｎの等化係数算出手段と、
それぞれ前記第１乃至第Ｎの等化係数算出手段で生成された前記係数を入力とし、それぞれ前記第１乃至第Ｎの等化手段の出力の信頼性を評価し、評価結果を信頼性情報として出力する第１乃至第Ｎの信頼性評価手段と、
それぞれ前記第１乃至第Ｎの所定の周波数帯域の信号を入力とし、入力された信号の包絡線レベルを検出する第１乃至第Ｎの包絡線レベル検出手段と、
前記第１乃至第Ｎの信頼性情報と、前記第１乃至第Ｎの包絡線レベル検出手段で検出された前記包絡線レベルをもとにダイバーシチの合成比を算出する合成比算出手段と、
前記合成比算出手段で算出された前記合成比に応じて、前記第１乃至第Ｎの等化手段の出力を合成するダイバーシチ合成手段とを備え、
前記第１乃至第Ｎの等化手段は、それぞれ前記第１乃至第Ｎの等化係数算出手段の出力に基づいて、前記所定の周波数帯域の信号に対する補正を行い、
前記第１乃至第Ｎの信頼性評価手段は、それぞれ前記第１乃至第Ｎの等化手段に対応して設けられ、かつそれぞれ前記第１乃至第Ｎの等化係数算出手段に対応して設けられ、前記第１乃至第Ｎの信頼性評価手段の各々は、
当該信頼性評価手段に対応する前記等化係数算出手段で生成された前記係数を離散フーリエ変換する等化係数フーリエ変換手段と、
前記等化係数フーリエ変換手段の出力に基づいて、当該信頼性評価手段に対応する前記等化手段の出力の前記信頼性情報を生成する信頼性情報生成手段と
を備える
ことを特徴とする受信装置。
【請求項６】
前記第１乃至第Ｎの信頼性情報生成手段の各々は、
当該信頼性情報生成手段に対応する前記等化係数フーリエ変換手段の出力の、送信周波数帯域内成分の分散値を算出する帯域内分散算出手段と、
前記帯域内分散算出手段で算出された前記分散値を入力とし、所定の基準値をもとに前記分散値を前記信頼性情報に変換する信頼性情報変換手段と
を備え、前記信頼性情報変換手段は、前記分散値が小さいほど、前記信頼性情報としてより高い信頼性を示すものを出力する
ことを特徴とする請求項５に記載の受信装置。
【請求項７】
前記第１乃至第Ｎの信頼性情報生成手段の各々は、
当該信頼性情報生成手段に対応する前記等化係数フーリエ変換手段の出力の送信周波数帯域内の最大ゲインと最小ゲインの差分絶対値が小さいほど、前記信頼性情報としてより高い信頼性を示すものを出力する
ことを特徴とする請求項５に記載の受信装置。
【請求項８】
前記第１乃至第Ｎの信頼性情報生成手段の各々は、
当該信頼性情報生成手段に対応する前記等化係数フーリエ変換手段の出力の前記送信周波数帯域内の最大ゲインと最小ゲインの差分絶対値に応じた重み係数を求める重み係数決定手段と、
当該信頼性情報生成手段に対応する前記等化係数フーリエ変換手段の出力の前記送信周波数帯域内の平均ゲインを求める帯域内平均ゲイン算出手段と、
前記帯域内平均ゲイン算出手段で算出された前記平均ゲインと、前記重み係数決定手段で求められた前記重み係数と、所定の基準値をもとに、前記信頼性情報を生成する重み付け演算手段と
を備えることを特徴とする請求項７に記載の受信装置。
【請求項９】
前記送信データが、多値ＶＳＢ（Ｖｅｓｔｉｇｉａｌ  Ｓｉｄｅｂａｎｄ）変調方式、ＱＰＳＫ（Ｑｕａｄｒａｔｕｒｅ  Ｐｈａｓｅ  Ｓｈｉｆｔ  Ｋｅｙｉｎｇ）変調方式又は多値ＱＡＭ（Ｑｕａｄｒａｔｕｒｅ  Ａｍｐｌｉｔｕｄｅ  Ｍｏｄｕｌａｔｉｏｎ）変調方式で変調されたものであることを特徴とする請求項１乃至８のいずれかに記載の受信装置。
【請求項１０】
畳み込み符号化された送信データを変調した送信信号を受信し、該受信した信号から送信データを再生する受信方法であって、
前記受信した信号を所定の周波数帯域の信号に変換する周波数変換ステップと、
デジタルフィルタステップを含み、前記所定の周波数帯域の信号が伝送路で受けた歪みを補正して信号を復調する等化ステップと、
前記等化ステップによる等化結果及び前記所定の周波数帯域の信号に基づいて、前記等化ステップの前記デジタルフィルタステップで用いられる係数を生成する等化係数算出ステップと、
前記等化係数算出ステップで生成された前記係数に基づいて、前記等化ステップによる等化結果の信頼性を評価し、評価結果を信頼性情報として生成する信頼性評価ステップと、
前記等化ステップによる等化結果及び前記信頼性情報をもとにビタビ復号処理を行って送信データを再生するビタビ復号ステップとを備え、
前記等化ステップは、前記等化係数算出ステップで算出された係数に基づいて、前記所定の周波数帯域の信号に対する補正を行い、
前記信頼性評価ステップは、
前記等化係数算出ステップで生成された前記係数を離散フーリエ変換する等化係数フーリエ変換ステップと、
前記等化係数フーリエ変換ステップによるフーリエ変換の結果に基づいて前記信頼性情報を生成する信頼性情報生成ステップと
を備える
ことを特徴とする受信方法。
【請求項１１】
前記信頼性情報生成ステップは、
前記等化係数フーリエ変換ステップによるフーリエ変換の結果の、送信周波数帯域内成分の分散値を算出する帯域内分散算出ステップと、
所定の基準値をもとに前記帯域内分散算出ステップで算出された分散値を前記信頼性情報に変換する信頼性情報変換ステップと
を備え、前記信頼性情報変換ステップは、前記分散値が小さいほど、前記信頼性情報としてより高い信頼性を示すものを生成する
ことを特徴とする請求項１０に記載の受信方法。
【請求項１２】
前記信頼性情報生成ステップは、
前記等化係数フーリエ変換ステップによるフーリエ変換の結果の、送信周波数帯域内の最大ゲインと最小ゲインの差分絶対値が小さいほど、前記信頼性情報としてより高い信頼性を示すものを生成する
ことを特徴とする請求項１０に記載の受信方法。
【請求項１３】
前記信頼性情報生成ステップは、
前記等化係数フーリエ変換ステップによるフーリエ変換の結果の、前記送信周波数帯域内の最大ゲインと最小ゲインの差分絶対値に応じた重み係数を求める重み係数決定ステップと、
前記等化係数フーリエ変換ステップによるフーリエ変換の結果の、
前記送信周波数帯域内の平均ゲインを求める帯域内平均ゲイン算出ステップと、
前記帯域内平均ゲイン算出ステップで求められた前記平均ゲインと、前記重み係数決定ステップで求められた前記重み係数と、所定の基準値をもとに、前記信頼性情報を生成する重み付け演算ステップと
を備えることを特徴とする請求項１２に記載の受信方法。
【請求項１４】
畳み込み符号化された送信データを変調した送信信号を第１乃至第Ｎのアンテナ（Ｎは２以上の整数）で受信し、ダイバーシチ合成して送信データを再生する受信方法であって、
それぞれ前記第１乃至第Ｎのアンテナで受信した信号を所定の周波数帯域に変換して第１乃至第Ｎの所定の周波数帯域の信号を生成する周波数変換ステップと、
各々デジタルフィルタステップを含み、それぞれ前記第１乃至第Ｎの所定の周波数帯域の信号が伝送路で受けた歪みを補正して、前記受信した信号を復調する第１乃至第Ｎの等化ステップと、
それぞれ前記第１乃至第Ｎの等化ステップによる等化結果及び前記第１乃至第Ｎの所定の周波数帯域の信号に基づいて、前記第１乃至第Ｎの等化ステップの前記デジタルフィルタステップで用いられる係数を生成する第１乃至第Ｎの等化係数算出ステップと、
それぞれ前記第１乃至第Ｎの等化係数算出ステップで生成された前記係数に基づいて、それぞれ前記第１乃至第Ｎの等化ステップによる等化結果の信頼性を評価し、評価結果を信頼性情報として生成する第１乃至第Ｎの信頼性評価ステップと、
それぞれ前記第１乃至第Ｎの所定の周波数帯域の信号の包絡線レベルを検出する第１乃至第Ｎの包絡線レベル検出ステップと、
前記第１乃至第Ｎの信頼性情報と、前記第１乃至第Ｎの包絡線レベル検出ステップで検出された前記包絡線レベルをもとにダイバーシチの合成比を算出する合成比算出ステップと、
前記合成比算出ステップで算出された前記合成比に応じて、前記第１乃至第Ｎの等化ステップによる等化結果を合成するダイバーシチ合成ステップとを備え、
前記第１乃至第Ｎの等化ステップは、それぞれ前記第１乃至第Ｎの等化係数算出ステップで生成された前記係数に基づいて、前記所定の周波数帯域の信号に対する補正を行い、
前記第１乃至第Ｎの信頼性評価ステップは、それぞれ前記第１乃至第Ｎの等化ステップに対応し、かつそれぞれ前記第１乃至第Ｎの等化係数算出ステップに対応し、前記第１乃至第Ｎの信頼性評価ステップの各々は、
当該信頼性評価ステップに対応する前記等化係数算出ステップで生成された前記係数を離散フーリエ変換する等化係数フーリエ変換ステップと、
前記等化係数フーリエ変換ステップによるフーリエ変換の結果に基づいて、当該信頼性評価ステップに対応する前記等化ステップによる等化結果の前記信頼性情報を生成する信頼性情報生成ステップと
を備える
ことを特徴とする受信方法。
【請求項１５】
前記第１乃至第Ｎの信頼性情報生成ステップの各々は、
当該信頼性情報生成ステップに対応する前記等化係数フーリエ変換ステップによるフーリエ変換の結果の、送信周波数帯域内成分の分散値を算出する帯域内分散算出ステップと、
前記帯域内分散算出ステップで算出された前記分散値を、所定の基準値をもとに前記信頼性情報に変換する信頼性情報変換ステップとを備え、
前記信頼性情報変換ステップは、前記分散値が小さいほど、前記信頼性情報としてより高い信頼性を示すものを生成する
ことを特徴とする請求項１４に記載の受信方法。
【請求項１６】
前記第１乃至第Ｎの信頼性情報生成ステップの各々は、
当該信頼性情報生成ステップに対応する前記等化係数フーリエ変換ステップによるフーリエ変換の結果の、送信周波数帯域内の最大ゲインと最小ゲインの差分絶対値が小さいほど、前記信頼性情報としてより高い信頼性を示すものを生成する
ことを特徴とする請求項１４に記載の受信方法。
【請求項１７】
前記第１乃至第Ｎの信頼性情報生成ステップの各々は、
当該信頼性情報生成ステップに対応する前記等化係数フーリエ変換ステップによるフーリエ変換の結果の、送信周波数帯域内の最大ゲインと最小ゲインの差分絶対値に応じた重み係数を求める重み係数決定ステップと、
当該信頼性情報生成ステップに対応する前記等化係数フーリエ変換ステップによるフーリエ変換の結果の、前記送信周波数帯域内の平均ゲインを求める帯域内平均ゲイン算出ステップと、
前記帯域内平均ゲイン算出ステップで算出された前記平均ゲインと、前記重み係数決定ステップで求められた前記重み係数と、所定の基準値をもとに、前記信頼性情報を生成する重み付け演算ステップと
を備えることを特徴とする請求項１６に記載の受信方法。
【請求項１８】
前記送信データが、多値ＶＳＢ（Ｖｅｓｔｉｇｉａｌ  Ｓｉｄｅｂａｎｄ）変調方式、ＱＰＳＫ（Ｑｕａｄｒａｔｕｒｅ  Ｐｈａｓｅ  Ｓｈｉｆｔ  Ｋｅｙｉｎｇ）変調方式又は多値ＱＡＭ（Ｑｕａｄｒａｔｕｒｅ  Ａｍｐｌｉｔｕｄｅ  Ｍｏｄｕｌａｔｉｏｎ）変調方式で変調されたものであることを特徴とする請求項１０乃至１７のいずれかに記載の受信方法。
【発明の詳細な説明】
【技術分野】
【０００１】
この発明は、畳み込み符号化された送信データを変調した信号の受信装置及び方法に関し、特に多値ＶＳＢ（Ｖｅｓｔｉｇｉａｌ  Ｓｉｄｅｂａｎｄ）変調、ＱＰＳＫ（Ｑｕａｄｒａｔｕｒｅ  Ｐｈａｓｅ  Ｓｈｉｆｔ  Ｋｅｙｉｎｇ）変調又は多値ＱＡＭ（Ｑｕａｄｒａｔｕｒｅ  Ａｍｐｌｉｔｕｄｅ  Ｍｏｄｕｌａｔｉｏｎ）変調された信号の受信装置及び受信方法に関するものである。
【背景技術】
【０００２】
デジタル伝送システムでは、所望の伝送速度を実現するため、多値デジタル変調技術と誤り訂正技術の併用によって伝送可能な情報量を増やしつつ受信時の誤り確率を低減したり、複数のアンテナを用いたダイバーシチ合成技術によって所要ＣＮＲ（Ｃａｒｒｉｅｒ  ｔｏ  Ｎｏｉｓｅ  Ｐｏｗｅｒ  Ｒａｔｉｏ）を小さくするなど、システムの信頼性を向上するための技術が適用される。
【０００３】
例えば、米国の地上デジタル放送では、変調方式として多値ＶＳＢ変調が採用されており、誤り訂正技術としてはトレリス符号化変調された信号を復号する場合に有効となるビタビ復号及びリードソロモン符号を復号するためのリードソロモン復号技術を用いて送信データを再生する（例えば、特許文献１、特許文献２参照）。
【０００４】
一般に、ビタビ復号器では、位相及び振幅の補正（以下、「等化」とも言う）をした信号の受信点配置と、変調方式に依存して一義的に定まる信号点配置との間の尤度を示すブランチメトリックを求める。そして、可能性のあるトレリスの全ての生き残りパスを求め、それぞれのパスのブランチメトリックを累積加算し、累積加算結果が最も小さいパスを選択する。この選択されたパスのステートをビタビ復号結果として出力し、送信データを再生する。
【０００５】
ビタビ復号結果の誤り率を低減する方法として、ブランチメトリックの求め方に関する技術について提案されている（例えば、特許文献３、特許文献４参照）。
【０００６】
また、ダイバーシチ合成技術によって受信性能を向上する方法については、特許文献５及び非特許文献１に記載がある。
【先行技術文献】
【特許文献】
【０００７】
【特許文献１】米国特許第６０８１３０１号明細書（第１頁〜第３頁、第１図〜第３図）
【特許文献２】米国特許出願公開第２００３／０１１５５４０号明細書（第２頁、第２図）
【特許文献３】米国特許出願公開第２００１／００２９５９６号明細書（第７頁、第７図）
【特許文献４】特許第３３４４９６９号明細書（第１６頁、第１図、第２図）
【特許文献５】特許第３３７７３６１号明細書（第８頁、第１図、第２図）
【非特許文献】
【０００８】
【非特許文献１】奥村、進士監修「移動通信の基礎」電子情報通信学会、（第１６３頁〜第１６７頁）
【発明の概要】
【発明が解決しようとする課題】
【０００９】
畳み込み符号化またはトレリス符号化変調されたデータを変調した信号、例えば多値ＶＳＢ（Ｖｅｓｔｉｇｉａｌ  Ｓｉｄｅｂａｎｄ）変調、ＱＰＳＫ（Ｑｕａｄｒａｔｕｒｅ  Ｐｈａｓｅ  Ｓｈｉｆｔ  Ｋｅｙｉｎｇ）変調又は多値ＱＡＭ（Ｑｕａｄｒａｔｕｒｅ  Ａｍｐｌｉｔｕｄｅ  Ｍｏｄｕｌａｔｉｏｎ）変調した信号に対する従来のビタビ復号技術では、等化した信号の信号点配置と、変調方式に依存して一義的に定まる信号点配置との尤度であるユークリッド距離を演算し、その結果に基づいてブランチメトリックを算出している。そのため、従来の受信装置で求められたブランチメトリックには、信号点配置間のユークリッド距離は考慮されているが、復調信号に含まれる雑音の平均電力（以下、「雑音平均電力」ともいう）、又は雑音電力と所望の信号電力（例えば、受信信号の電力）の比（以下、「信号電力対雑音電力比」ともいう）や、伝送路の周波数特性、電波環境の時間変動の影響などは考慮されていない。
【００１０】
しかし、例えば送信信号を移動しながら受信する場合には、受信信号の電力が時間的に大きく変化するため、雑音電力比又は信号対雑音電力比もまた時間変動する。また、伝送路の周波数特性や電波環境の時間変動も移動環境や移動速度に応じて変化する。これに対し、等化した信号（以下、「復調信号」ともいう）から算出されるユークリッド距離には、復調信号に含まれる雑音平均電力や信号対雑音電力比の絶対量、及び伝送路の周波数特性や電波環境の時間変動に起因する性能劣化要因が考慮されていないため、復調信号の復号においてこれら劣化要因の変化の影響を抑えることができず、当該復調信号を復号した後の信号における誤り確率を十分に小さくできないという問題点があった。
【００１１】
また、変調した信号、例えば多値ＶＳＢ（Ｖｅｓｔｉｇｉａｌ  Ｓｉｄｅｂａｎｄ）変調、ＱＰＳＫ（Ｑｕａｄｒａｔｕｒｅ  Ｐｈａｓｅ  Ｓｈｉｆｔ  Ｋｅｙｉｎｇ）変調又は多値ＱＡＭ（Ｑｕａｄｒａｔｕｒｅ  Ａｍｐｌｉｔｕｄｅ  Ｍｏｄｕｌａｔｉｏｎ）変調した信号をダイバーシチ合成する場合、受信信号の包絡線比に応じて合成比を定めることで、ダイバーシチ利得が最も大きくなることが一般に知られている。
【００１２】
しかし、包絡線比をもとに合成比を算出する場合にダイバーシチ利得が最大になるのは、各アンテナで受信される信号の搬送波電力対雑音電力比（以下、「Ｃ／Ｎ」ともいう）が等しい場合であり、Ｃ／Ｎが異なる信号に対して包絡線比をもとに合成比を算出すると、復号結果における誤り確率が十分に小さくできなくなるばかりか、かえって増大する場合があるという問題点があった。
【００１３】
この発明は、上述のような課題を解消するためになされたもので、復調信号に含まれる雑音平均電力や信号対雑音電力比の絶対量、及び伝送路の周波数特性や電波環境の時間変動等対応した信頼性情報を生成し、これをもとにビタビ復号又はダイバーシチ合成を行うことで受信性能を向上することを目的とする。
【課題を解決するための手段】
【００１４】
上述の目的を達成するため、この発明の第１の態様の受信装置は、
畳み込み符号化された送信データを変調した送信信号を受信し、該受信した信号から送信データを再生する受信装置であって、
前記受信した信号を所定の周波数帯域の信号に変換する周波数変換手段と、
デジタルフィルタを含み、前記所定の周波数帯域の信号を入力とし、該信号が伝送路で受けた歪みを補正して信号を復調する等化手段と、
前記等化手段の出力及び前記所定の周波数帯域の信号に基づいて、前記等化手段の前記デジタルフィルタの係数を生成する等化係数算出手段と、
前記等化係数算出手段で生成された前記係数に基づいて、前記等化手段の出力の信頼性を評価し、評価結果を信頼性情報として出力する信頼性評価手段と、
前記等化手段の出力及び前記信頼性情報をもとにビタビ復号処理を行って送信データを再生するビタビ復号手段とを備え、
前記等化手段は、前記等化係数算出手段の出力に基づいて、前記所定の周波数帯域の信号に対する補正を行い、
前記信頼性評価手段は、
前記等化係数算出手段で生成された前記係数を離散フーリエ変換する等化係数フーリエ変換手段と、
前記等化係数フーリエ変換手段の出力に基づいて前記信頼性情報を生成する信頼性情報生成手段と
を備える
ことを特徴とする。
【００１５】
この発明の第２の態様の受信装置は、
畳み込み符号化された送信データを変調した送信信号を第１乃至第Ｎのアンテナ（Ｎは２以上の整数）で受信し、ダイバーシチ合成して送信データを再生する受信装置であって、
それぞれ前記第１乃至第Ｎのアンテナで受信した信号を所定の周波数帯域に変換して第１乃至第Ｎの所定の周波数帯域の信号を生成する周波数変換手段と、
各々デジタルフィルタを含み、それぞれ前記第１乃至第Ｎの所定の周波数帯域の信号を入力とし、前記第１乃至第Ｎのアンテナで受信した信号が伝送路で受けた歪みを補正して、前記受信した信号を復調する第１乃至第Ｎの等化手段と、
それぞれ前記第１乃至第Ｎの等化手段の出力及び前記第１乃至第Ｎの所定の周波数帯域の信号に基づいて、前記第１乃至第Ｎの等化手段の前記デジタルフィルタの係数を生成する第１乃至第Ｎの等化係数算出手段と、
それぞれ前記第１乃至第Ｎの等化係数算出手段で生成された前記係数を入力とし、それぞれ前記第１乃至第Ｎの等化手段の出力の信頼性を評価し、評価結果を信頼性情報として出力する第１乃至第Ｎの信頼性評価手段と、
それぞれ前記第１乃至第Ｎの所定の周波数帯域の信号を入力とし、入力された信号の包絡線レベルを検出する第１乃至第Ｎの包絡線レベル検出手段と、
前記第１乃至第Ｎの信頼性情報と、前記第１乃至第Ｎの包絡線レベル検出手段で検出された前記包絡線レベルをもとにダイバーシチの合成比を算出する合成比算出手段と、
前記合成比算出手段で算出された前記合成比に応じて、前記第１乃至第Ｎの等化手段の出力を合成するダイバーシチ合成手段とを備え、
前記第１乃至第Ｎの等化手段は、それぞれ前記第１乃至第Ｎの等化係数算出手段の出力に基づいて、前記所定の周波数帯域の信号に対する補正を行い、
前記第１乃至第Ｎの信頼性評価手段は、それぞれ前記第１乃至第Ｎの等化手段に対応して設けられ、かつそれぞれ前記第１乃至第Ｎの等化係数算出手段に対応して設けられ、前記第１乃至第Ｎの信頼性評価手段の各々は、
当該信頼性評価手段に対応する前記等化係数算出手段で生成された前記係数を離散フーリエ変換する等化係数フーリエ変換手段と、
前記等化係数フーリエ変換手段の出力に基づいて、当該信頼性評価手段に対応する前記等化手段の出力の前記信頼性情報を生成する信頼性情報生成手段と
を備える
ことを特徴とする。
【発明の効果】
【００１７】
この発明の第１の態様及び第３の態様によれば、受信した信号の等化過程で得られるフィルタ係数をもとに等化出力の信頼性情報を生成し、信頼性情報を用いて、例えば該信頼性情報とユークリッド距離をもとにブランチメトリックを算出してビタビ復号するため、様々な伝送路環境で誤り訂正能力を向上させることができ、受信側で再生した送信データの誤りを低減することができる。
【００１８】
この発明の第２の態様によれば、各アンテナで受信した信号の等化過程で得られるフィルタ係数をもとに各受信アンテナで受信した信号の等化出力の信頼性情報を生成し、各受信アンテナで受信した信号の包絡線レベルと信頼性情報を用いてダイバーシチ合成するため、様々な伝送路環境でダイバーシチ利得が向上し、受信側で再生した送信データの誤りを低減することができる。
【図面の簡単な説明】
【００１９】
【図１】この発明の実施の形態１の受信装置を示すブロック図である。
【図２】図１の信頼性情報生成部２２の構成例を示すブロック図である。
【図３】図１の等化係数フーリエ変換部２１の出力の例を表す概念図である。
【図４】図１の信頼性情報生成部２２の他の構成例を表すブロック図である。
【図５】図１のビタビ復号部１６の構成例を表すブロック図である。
【図６】この発明の実施の形態２の受信装置を示すブロック図である。
【図７】この発明の実施の形態３の受信装置を示すブロック図である。
【発明を実施するための形態】
【００２０】
実施の形態１．
図１はこの発明の実施の形態１による受信装置を示すブロック図である。図１に示される受信装置は、図示しない送信装置における畳み込み符号化器により、畳み込み符号化された送信データを変調することで得られた送信信号、例えば、多値ＶＳＢ（Ｖｅｓｔｉｇｉａｌ  Ｓｉｄｅｂａｎｄ）変調方式、ＱＰＳＫ（Ｑｕａｄｒａｔｕｒｅ  Ｐｈａｓｅ  Ｓｈｉｆｔ  Ｋｅｙｉｎｇ）変調方式又は多値ＱＡＭ（Ｑｕａｄｒａｔｕｒｅ  Ａｍｐｌｉｔｕｄｅ  Ｍｏｄｕｌａｔｉｏｎ）変調方式で変調することで得られた送信信号を受信し、送信データを再生するものであって、アンテナ１１で受信した信号を受ける周波数変換部１２と、等化部１３、等化係数算出部１４、信頼性評価部１５と、ビタビ復号部１６を備える。
【００２１】
アンテナ１１は、畳み込み符号化された送信データを変調した送信信号、例えば多値ＶＳＢ変調、ＱＰＳＫ変調又は多値ＱＡＭ変調された信号を受信するものである。
【００２２】
周波数変換部１２は、アンテナ１１で受信した信号Ｓａを所定の周波数帯域の信号Ｓｂに変換する。
【００２３】
等化部１３は、周波数変換部１２から出力された信号（所定の周波数帯域の信号）Ｓｂを入力とし、アンテナ１１で受信された信号が伝送路で受けた歪みを補正して復調する。等化部１３はＦＩＲ（Ｆｉｎｉｔｅ  Ｉｍｐｕｌｓｅ  Ｒｅｓｐｏｎｓｅ）フィルタや判定帰還形波形等化フィルタなどの可変係数デジタルフィルタ１３ａを含む。
【００２４】
等化係数算出部１４は、周波数変換部１２から出力される所定の周波数帯域の信号Ｓｂと等化部１３の出力Ｘを入力とし、これらに基づいてデジタルフィルタ１３ａの係数（フィルタ係数乃至等化係数）を生成する。フィルタ係数の生成には、例えば、ＬＭＳ（Ｌｅａｓｔ  Ｍｅａｎ  Ｓｑｕａｒｅ  Ｅｒｒｏｒ）アルゴリズムやＣＭＡ（Ｃｏｎｓｔａｎｔ  Ｍｏｄｕｌｕｓ  Ａｌｇｏｒｉｔｈｍ）などの逐次更新アルゴリズムが用いられる。等化係数を算出するアルゴリズム及び手段は任意であり、公知技術であるため、ここでの詳細な説明は省略する。
【００２５】
等化係数算出部１４の出力として得られるフィルタ係数は、伝送路を等化するために必要な伝達関数、すなわち、伝送路特性の逆特性又はそれに準ずる周波数特性のインパルスレスポンスを表している。
【００２６】
信頼性評価部１５は、等化係数算出部１４で生成された係数を入力として、該係数に基づいて等化部１３の出力（等化出力）Ｘの信頼性を検出するものであり、等化係数フーリエ変換部２１と、信頼性情報生成部２２とを有する。
【００２７】
等化係数フーリエ変換部２１は、等化係数算出部１４で生成された等化係数を入力とし、該係数を用いた離散フーリエ変換処理によって上記フィルタ係数に対応する周波数特性を算出して算出結果を出力する。
【００２８】
信頼性情報生成部２２は、等化係数フーリエ変換部２１の出力を入力とし、これに基づいて、等化部１３の出力信号（等化結果）Ｘの信頼性情報に変換して出力する。
【００２９】
ビタビ復号部１６は、等化部１３の出力Ｘ及び信頼性評価部１５の出力Ｒを入力とし、これらの情報をもとにビタビ復号処理を行って送信データを再生する。ビタビ復号処理に当たり、ビタビ復号部１６は、信頼性評価部１５から出力された信頼性情報Ｒをブランチメトリックに対する重み係数として利用する。即ち、復号に当たり、ユークリッド距離自体、又はその２乗で定義されるブランチメトリックに対し信頼性情報Ｒによる重み付けを行うことで、信頼性が高いほど、重み付け後のブランチメトリックがより小さな値となるように重み付けを行い、重み付けされたブランチメトリックに基づいて生き残りパスの選択を行う。
【００３０】
ここで、信頼性情報生成部２２の具体的な構成例について図２を用いて説明する。
図２に示される信頼性情報生成部２２は、帯域内分散算出部４１、帯域内平均ゲイン算出部４２、及び信頼性情報変換部４３を備え、信頼性情報変換部４３の出力が信頼性情報生成部２２の出力である。
【００３１】
信頼性情報生成部２２の入力（等化係数フーリエ変換部２１で算出された周波数特性を示すフーリエ変換結果）は、帯域内分散算出部４１と、帯域内平均ゲイン算出部４２に供給される。
帯域内分散算出部４１は、信頼性情報生成部２２に入力される等化係数フーリエ変換部２１の出力を入力とし、等化係数フーリエ変換部２１の出力を、送信周波数帯域（信号帯域）内成分と帯域外成分に分離し、送信周波数帯域内成分の振幅特性のばらつきを分散値として算出して出力する。具体的には、等化係数フーリエ変換部２１の出力の２乗値の平均から、等化係数フーリエ変換部２１の出力の平均値の２乗を引いた値を分散値として求める。
【００３２】
帯域内平均ゲイン算出部４２は、信頼性情報生成部２２に入力される等化係数フーリエ変換部２１の出力を入力とし、その送信周波数帯域内成分の平均ゲイン（伝送路における減衰を補償するためのゲインの送信周波数帯域全体にわたる平均値）を算出して出力する。
【００３３】
信頼性情報変換部４３は、帯域内分散算出部４１の出力及び帯域内平均ゲイン算出部４２の出力を入力とし、これらと所定の基準値をもとに信頼性情報Ｒを生成して出力する。このような信頼性情報Ｒの生成は、帯域内分散算出部４１によって得られた分散値と帯域内平均ゲイン算出部４２によって得られた平均ゲインの組合せを、所定の基準値をもとに信頼性情報に変換する処理であるとも言える。
【００３４】
ここで、信頼性情報変換部４３における信号変換方法について図３を用いて説明する。
伝送路において反射波が無く、所望のＣ／Ｎが得られる伝送路の場合、等化係数フーリエ変換部２１から出力されるフーリエ変換結果で示される周波数特性は送信周波数帯域全体に亘り一定の振幅を有する特性となり、図３の太い実線Ｓ１のようになる。このときの振幅値を上記基準値として用いることとすれば、帯域内平均ゲイン算出部４２の出力（送信周波数帯域内成分の平均ゲイン）は一定で上記基準値と同値となり、帯域内分散算出部４１の出力（分散値）はゼロとなる。
【００３５】
一方、同じく反射波が無いが、Ｃ／Ｎが小さい場合は、図３の細い実線Ｓ２のようにばらつきが大きくなる。この場合、帯域内平均ゲイン算出部４２の出力（送信周波数帯域内成分の平均ゲイン）はほぼ基準値と同程度になるが、帯域内分散算出部４１の出力（分散値）はばらつきが大きくなる。
【００３６】
更に、マルチパス伝送路の場合は、図３の太い点線Ｓ３のように分散がさらに大きくなるため、帯域内分散算出部４１の出力はさらに大きくなる。
また、マルチパス伝送路であって等化出力（等化部１３の出力）の振幅が小さい場合は、図３の太い破線Ｓ４のようになり、帯域内平均ゲイン算出部４２の出力は基準値よりも大きくなり、帯域内分散算出部４１の出力も大きくなる。
【００３７】
上記の４つの例では、等化出力（等化部１３の出力）において太い実線の場合Ｓ１が最も信頼性が高く、細い実線Ｓ２、太い点線Ｓ３、太い破線Ｓ４の順で信頼性が低くなっていくと考えられる。ただし、送信周波数帯域内成分の平均ゲインや分散の大小関係によっては、２番目以降の順番は入れ替わる。いずれにしても、これらの情報をもとに等化出力の信頼性情報を生成することが可能である。
【００３８】
一例として、帯域内平均ゲイン算出部４２の出力をＡ、帯域内分散算出部４１の出力をＢ、基準値をＣとし、所定の正の係数ａ、ｂを使って下記の式（１）で得られる正の実数Ｒを信頼性情報としても良い。
【００３９】
【数１】
0005656617.tif 000002
【００４０】
なお、式（１）に限定されず、基準値Ｃよりも平均ゲインＡの方が大きい場合は信頼性が下がり、分散値Ｂが大きくなるにつれて信頼性が下がるような変換式であれば良く、変換式の代わりに変換テーブルを用いて信頼性情報を生成しても良い。
【００４１】
なおまた、平均ゲインを用いず、分散値Ｂのみに基づいて信頼性情報を生成するようにしても良い。この場合、分散値Ｂが大きくなるにつれて信頼性が下がるような変換式又は変換テーブルを用いる。
【００４２】
また、以上の例の信頼性情報生成部２２は、送信周波数帯域内の伝送路振幅特性のばらつきを分散値として算出することで信頼性情報を生成するように構成されているが、分散値を表す信号に限定されず、伝送路の歪みに対応した信号であればよい。
【００４３】
信頼性情報生成部２２の他の構成例を図４に示す。
図４に示される信頼性情報生成部２２は、信頼性情報生成部２２に入力される等化係数フーリエ変換部２１の出力を入力とする帯域内最大ゲイン算出部４４と、同じく信頼性情報生成部２２に入力される等化係数フーリエ変換部２１の出力を入力とする帯域内最小ゲイン算出部４５と、差分絶対値算出部４６と、重み係数生成部４７と、帯域内平均ゲイン算出部４２と、重み付け演算部４８とを有する。重み付け演算部４８の出力が信頼性情報生成部２２の出力である。帯域内平均ゲイン算出部４２は図２の構成例で示したものと同じである。
【００４４】
帯域内最大ゲイン算出部４４は、等化係数フーリエ変換部２１から出力されるフーリエ変換結果（周波数特性を示す）を送信周波数帯域（信号帯域）内成分と帯域外成分に分離し、送信周波数帯域内成分の振幅特性の最大値（最大ゲイン）を出力する。
帯域内最小ゲイン算出部４５は、等化係数フーリエ変換部２１から出力されるフーリエ変換結果（周波数特性を示す）を送信周波数帯域（信号帯域）内成分と帯域外成分に分離し、送信周波数帯域内成分の振幅特性の最小値（最小ゲイン）を出力する。
差分絶対値算出部４６は、帯域内最大ゲイン算出部４４の出力と帯域内最小ゲイン算出部４５の出力を入力とし、両者の差分の絶対値を算出する。
重み係数生成部４７は、差分絶対値算出部４６の出力を入力とし、差分絶対値算出部４６から出力される差分の絶対値を、それに対応した正の係数に変換して出力する。例えば、差分絶対値が０の場合は係数を１とし、差分絶対値が大きくなるにつれて１よりも小さくなるような値を出力する。
【００４５】
帯域内最大ゲイン算出部４４と、帯域内最小ゲイン算出部４５と、差分絶対値算出部４６と、重み係数生成部４７とにより、等化係数フーリエ変換部２１の出力、即ち等化係数のフーリエ変換結果を入力とし、送信周波数帯域内の最大ゲインと最小ゲインとの差分絶対値に応じた重み係数を求める重み係数生成部４９が構成されている。
【００４６】
重み付け演算部４８は、重み係数決定部４９の出力と、帯域内平均ゲイン算出部４２の出力を入力とし、これらと所定の基準値をもとに信頼性情報Ｒを生成して出力する。このような信頼性情報Ｒの生成は、重み係数決定部４９によって決定された重み係数と帯域内平均ゲイン算出部４２によって得られた平均ゲインの組合せを、所定の基準値をもとに信頼性情報に変換する処理であるとも言える。
【００４７】
一例として、帯域内平均ゲイン算出部４２の出力をＡ、基準値をＣ、重み係数生成部４７の出力をＤとし、所定の正の係数ｃ、ｄを使って下記の式（２）で得られる正の実数Ｒを信頼性情報としても良い。
【００４８】
【数２】
0005656617.tif 000003
【００４９】
なお、式（２）に限定されず、基準値Ｃよりも平均ゲインＡの方が大きい場合は信頼性が下がり、また、重み係数Ｄが大きくなるにつれて信頼性が上がるような変換式であれば良く、変換式の代わりに変換テーブルを用いて信頼性情報を生成しても良い。さらに、上記のように重み係数Ｄを求めることなく、帯域内最大ゲインと帯域内最小ゲインの差分絶対値が大きいほど、信頼性が下がるようにすれば良い。
【００５０】
図４に示される信頼性情報生成部２２を用いる場合には、送信周波数帯域（信号帯域）内の最大ゲインと最小ゲインの差分の絶対値をもとに信頼性情報を生成するため、比較的小規模な回路又は演算量で信頼性情報を得ることができるという効果がある。
【００５１】
信頼性情報生成部２２で生成された信号Ｒは、ブランチメトリック重み係数として等化部１３の出力Ｘとともにビタビ復号部１６に供給され、ビタビ復号部１６ではそれらを利用してビタビ復号を行って誤りを訂正する。
【００５２】
ここで、ビタビ復号部１６の構成例について図５を用いて説明する。
図５に示されるビタビ復号部１６は、等化部１３の出力を入力とするブランチメトリック演算部５１と、ブランチメトリック演算部５１の出力及び信頼性情報生成部２２の出力であるブランチメトリック重み係数を入力とするメトリック重み係数乗算部５２と、メトリック重み係数乗算部５２の出力を入力とする加算・比較・選択部５３と、加算・比較・選択部５３の出力を入力とするパスメモリ部５４とを含む。パスメモリ部５４の出力がビタビ復号部１６の出力である。
【００５３】
図５において、等化部１３の出力はブランチメトリック演算部５１に入力される。ブランチメトリック演算部５１では、等化出力の信号点と、受信した信号に対応する変調方式によって一義的に定まる各シンボルに対応する信号点とのユークリッド距離を求め、このユークリッド距離から、送信装置における畳み込み符号化器の構成によって決まるブランチメトリックを所定の個数分算出する。ブランチメトリック演算部５１で算出されたブランチメトリックは、メトリック重み係数乗算部５２に入力される。
【００５４】
メトリック重み係数乗算部５２では、ブランチメトリック演算部５１から入力された各ブランチメトリックに対して、信頼性情報生成部２２で算出した信頼性情報をブランチメトリック重み係数として乗算する。
【００５５】
ブランチメトリック重み係数が乗算された各ブランチメトリック（重み付けされたブランチメトリック）は、加算・比較・選択部５３において累積加算され、複数のパスが算出される。また、加算・比較・選択部５３では、算出されたそれぞれのパスを比較し、最も値が小さくなるパスを選択する。
この選択したパスのブランチメトリックの累積加算結果を、生き残りパスメトリックとしてパスメモリ部５４に記憶する。
パスメモリ部５４では、生き残りパスメトリックを記憶し、このパスメトリックに対応する情報系列を復号信号として出力する。
【００５６】
以上に示したように、本発明の実施の形態１によれば、等化過程で得られるフィルタ係数をもとに等化出力の信頼性情報を生成し、ユークリッド距離に基づいて定められたブランチメトリックに対して、信頼性情報による重み付けを行い、重み付けされたブランチメトリックを用いてビタビ復号するため、様々な伝送路環境で誤り訂正能力を向上させることができ、従って受信側で再生した送信データの誤りを低減することができる。
【００５７】
実施の形態２．
実施の形態１では、等化部で使用するフィルタ係数をもとに伝送路の周波数特性を算出し、これをフーリエ変換することで信頼性情報を生成するが、次に、受信信号に含まれるパイロット信号を利用して信頼性情報を生成する実施の形態を示す。
【００５８】
図６はこの発明の実施の形態２による受信装置を示すブロック図である。図６に示される受信装置は、図１に示されると概して同じであるが、図１の信頼性評価部１５の代わりに、信頼性評価部１７を備えている点で異なる。
【００５９】
図６に示される信頼性評価部１７は、パイロット抽出部２３と、信頼性情報評価部２４を有する。
パイロット抽出部２３は、信頼性評価部１７の入力（周波数変換部１２の出力）を入力とし、信号に重畳されているパイロット信号を抽出する。例えば、パイロット信号が特定の周波数を持つ正弦波である場合は、その周波数成分を通過させるバンドパスフィルタによってパイロット抽出部２３を構成することができる。パイロット抽出部２３の出力は信頼性情報生成部２４に出力され、ここで信頼性情報に変換されて出力される。
【００６０】
信頼性情報生成部２４は、パイロット抽出部２３の出力をもとに、受信信号の信頼性（等化部１３の出力の信頼性）を示す情報を生成する。具体的には、パイロット信号の電力や包絡線、又は送信正弦波との違いに対応した情報を生成する。例えば、パイロット信号の電力を算出し、基準値と比較し、その差に応じた信号に変換する。このとき、基準値よりも大きい場合は信頼性が高いと見なし、基準値よりも小さい場合は信頼性が小さいと見なして基準値との差に応じた信号に変換すればよい。
【００６１】
以上に示したように、本発明の実施の形態２によれば、パイロット信号を抽出して、例えばその包絡線又は電力をもとに受信信号の信頼性情報を生成し、ユークリッド距離に基づいて定められたブランチメトリックに対して、信頼性情報による重み付けを行い、重み付けされたブランチメトリックを用いてビタビ復号するため、比較的簡単な回路又は演算量で様々な伝送路環境で誤り訂正能力を向上させることができ、従って、受信側で再生した送信データの誤りを低減することができる。
【００６２】
実施の形態３．
以上の実施の形態１及び２では、信頼性情報をビタビ復号部１６で活用して受信性能を向上する構成を示したが、次に、信頼性情報をダイバーシチ合成で使用して受信性能を向上する実施の形態を示す。
【００６３】
図７はこの発明の実施の形態２による受信装置を示すブロック図である。図７は、複数のアンテナ、即ち第１乃至第Ｎのアンテナ１１−１〜１１−Ｎ（Ｎは２以上の整数）を用いて信号を受信し、ダイバーシチ合成して信号を復号する場合を示している。
図７に示される受信装置は、第１乃至第Ｎ周波数変換部１２−１〜１２−Ｎと、第１乃至第Ｎの等化部１３−１〜１３−Ｎと、第１乃至第Ｎの等化係数算出部１４−１〜１４−Ｎと、第１乃至第Ｎの信頼性評価部１５−１〜１５−Ｎと、第１乃至第Ｎの包絡線レベル検出部１８−１〜１８−Ｎと、合成比算出部１９と、ダイバーシチ合成部２０とを有する。ダイバーシチ合成部２０の出力は復調出力となる。
【００６４】
第１乃至第Ｎの周波数変換部１２−１〜１２−Ｎは、それぞれ第１乃至第Ｎのアンテナ１１−１〜１１−Ｎに対応して設けられ、それぞれ第１乃至第Ｎのアンテナ１１−１〜１１−Ｎで受信された信号（第１乃至第Ｎの受信信号）Ｓａ１〜ＳａＮを所定の周波数帯域の信号Ｓｂ１〜ＳｂＮに変換する。言い換えると、第ｎの周波数変換部１２−ｎ（ｎは１〜Ｎのいずれか）は、対応する、第ｎのアンテナ１１−ｎで受信することで得られた第ｎの受信信号Ｓａｎを所定の周波数帯域の信号Ｓｂｎに変換する。第１乃至第Ｎの周波数変換部１２−１〜１２−Ｎの各々の構成及び動作は、実施の形態１で示した周波数変換部１２と同じである。
【００６５】
第１乃至第Ｎの等化部１３−１〜１３−Ｎは、それぞれ第１乃至第Ｎの周波数変換部１２−１〜１２−Ｎの出力Ｓｂ１〜ＳｂＮを入力として、それぞれ第１乃至第Ｎの受信信号Ｓａ１〜ＳａＮ（第１乃至第Ｎのアンテナ１１−１〜１１−Ｎで受信された信号）が伝送路で受けたひずみを補正して信号を復調する。言い換えると、第ｎの等化部１３−ｎは、対応する、第ｎの周波数変換部１２−ｎの出力Ｓｂｎを入力として、第ｎの受信信号（第ｎのアンテナ１１−ｎで受信された信号）が伝送路で受けたひずみを補正して信号を復調する。第１乃至第Ｎの等化部１３−１〜１３−Ｎの各々の構成及び動作は、実施の形態１で示した等化部１３と同じである。
【００６６】
第１乃至第Ｎの等化係数算出部１４−１〜１４−Ｎは、それぞれ第１乃至第Ｎの等化部１３−１〜１３−Ｎの出力Ｘ１〜ＸＮ、及び第１乃至第Ｎの周波数変換部１２−１〜１２−Ｎの出力Ｓｂ１〜ＳｂＮを入力とし、それぞれ第１乃至第Ｎの等化部１３−１〜１３−Ｎで使用されるデジタルフィルタの係数を生成する。言い換えると、第ｎの等化係数算出部１４−ｎは、対応する、第ｎの等化部１３−ｎの出力Ｘｎ、及び対応する、第ｎの周波数変換部１２−ｎの出力Ｓｂｎを入力とし、第ｎの等化部１３−ｎで使用されるデジタルフィルタの係数を生成する。第１乃至第Ｎの等化係数算出部１４−１〜１４−Ｎの各々の構成及び動作は、実施の形態１で示した等化係数算出部１４と同じである。
【００６７】
第１乃至第Ｎの信頼性評価部１５−１〜１５−Ｎは、それぞれ前記第１乃至第Ｎの等化部１３−１〜１３−Ｎに対応して設けられ、かつそれぞれ第１乃至第Ｎの等化係数算出部１４−１〜１４−Ｎに対応して設けられ、それぞれ第１乃至第Ｎの等化係数算出部１４−１〜１４−Ｎの出力を入力として、第１乃至第Ｎの等化部１３−１〜１３−Ｎの出力の信頼性を評価する。言い換えると、第ｎの信頼性評価部１５−ｎは、対応する、第ｎの等化係数算出部１４−ｎの出力を入力として、対応する、第ｎの等化部１３−ｎの出力の信頼性を評価する。第１乃至第Ｎの信頼性評価部１５−１〜１５−Ｎの各々の構成及び動作は、実施の形態１で示した信頼性評価部１５と同じである。
【００６８】
第１乃至第Ｎの包絡線レベル検出部１８−１〜１８−Ｎは、それぞれ第１乃至第Ｎの周波数変換部１２−１〜１２−Ｎの出力（即ち、畳み込み符号化後、多値ＶＳＢ変調、ＱＰＳＫ変調又は多値ＱＡＭ変調されて送信され第１乃至第Ｎのアンテナ１１−１〜１１−Ｎで受信され、所定の周波数帯域の信号）Ｓｂ１〜ＳｂＮを入力とし、これらの信号Ｓｂ１〜ＳｂＮの包絡線レベルＰ１〜ＰＮを検出して出力する。言い換えると、第ｎの包絡線レベル検出部１８−ｎは、対応する、第ｎの周波数変換部１２−ｎの出力（即ち、畳み込み符号化後、多値ＶＳＢ変調、ＱＰＳＫ変調又は多値ＱＡＭ変調されて送信され第ｎのアンテナ１１−ｎで受信され、所定の周波数帯域に変換された信号）Ｓｂｎを入力とし、その包絡線レベルＰｎを検出して出力する。
【００６９】
合成比算出部１９は、第１乃至第Ｎの包絡線レベル検出部１８−１〜１８−Ｎから出力される包絡線レベル検出結果Ｐ１〜ＰＮ及び第１乃至第Ｎの信頼性評価部１５−１〜１５−Ｎから出力される信頼性情報Ｒ１〜ＲＮを入力とし、これらに基づいて第１乃至第Ｎの等化部１３−１〜１３−Ｎの出力Ｘ１〜ＸＮの合成比（ダイバーシチ合成比）Ｗ１〜ＷＮを算出して出力する。
【００７０】
ここで、合成比の算出方法について、最初に簡単のためＮ＝２と仮定して説明する。第１の包絡線レベル検出部１８−１の出力をＰ１、第１の信頼性評価部１５−１の出力をＲ１、第２の包絡線レベル検出部１８−２の出力をＰ２、第２の信頼性評価部１５−２の出力をＲ２とすると、第１の等化部１３−１に対する合成比Ｗ１及び第２の等化部１３−２に対する合成比Ｗ２は、例えば下記の式（３）又は式（４）のように求めればよい。
【００７１】
【数３】
0005656617.tif 000004
【００７２】
【数４】
0005656617.tif 000005
【００７３】
Ｎが３以上であっても、下記の式（５）及び式（６）に示すように同様に算出することができる。但し、ｎは１〜Ｎのうちの任意のものとし、Ｐｎは、第ｎの包絡線レベル検出部１８−ｎで検出された包絡線レベル、Ｒｎは、第ｎの信頼性評価部１５−ｎで生成された信頼性情報、Ｗｎは、第ｎの等化部１３−ｎの出力に対する合成比である。
【００７４】
【数５】
0005656617.tif 000006
【００７５】
【数６】
0005656617.tif 000007
【００７６】
上記の式（３）又は式（５）によって求めた合成比（Ｗｎ）を用いることで、各等化部（１３−ｎ）の出力は、対応する包絡線レベル検出部（１８−ｎ）で検出された包絡線レベル（Ｐｎ）の２乗と、対応する信頼性評価部（１５−ｎ）で生成された信頼性（Ｒｎ）との積に比例した重みを付けて合成されることになる。
上記の式（４）又は式（６）によって求めた合成比（Ｗｎ）を用いることで、各等化部（１３−ｎ）の出力は、対応する包絡線レベル検出部（１８−ｎ）で検出された包絡線レベル（Ｐｎ）と、対応する信頼性評価部（１５−ｎ）で生成された信頼性（Ｒｎ）との積に比例した重みを付けて合成されることになる。
【００７７】
ダイバーシチ合成部２０は、等化部１３−１〜１３−Ｎの出力Ｘ１〜ＸＮを入力とし、これらを、合成比算出部１９の出力Ｗ１〜ＷＮに応じて、合成して出力する。この合成は、等化部１３−１〜１３−Ｎの出力を、対応する合成比Ｗ１〜ＷＮによる重み付けをして加算することで行われるものであり、下記の式（７）で表される。ただし、式（７）において、Ｘｎは第ｎの等化部１３−ｎの出力、Ｗｎは、第ｎの等化部１３−ｎに対する合成比、Ｙはダイバーシチ合成部２０による合成結果を表す。
【数７】
0005656617.tif 000008
【００７８】
以上のように、等化過程で得られるフィルタ係数をもとに等化出力の信頼性情報を生成し、各受信アンテナで受信した信号の包絡線レベルと信頼性情報を用いてダイバーシチ合成するため、様々な伝送路環境でダイバーシチ利得が向上し、受信側で再生した送信データの誤りを低減することができる。
【００７９】
以上本発明を装置に係る発明として説明したが、上記の装置により実施される方法もまた本発明の一部を成す。
【符号の説明】
【００８０】
１１、１１−１、１１−Ｎ  アンテナ、  １２、１２−１、１２−Ｎ  周波数変換部、  １３、１３−１、１３−Ｎ  等化部、  １４、１４−１、１４−Ｎ  等化係数算出部、  １５、１５−１〜１５−Ｎ  信頼性評価部、  １６  ビタビ復号部、  １７  信頼性評価部、  １８−１、１８−Ｎ  包絡線レベル検出部、  １９  合成比算出部、  ２０  ダイバーシチ合成部、  ２１、２１−１、２１−Ｎ  等化係数フーリエ変換部、  ２２、２２−１、２２−Ｎ  信頼性情報生成部、  ２３  パイロット抽出部、  ２４  信頼性情報生成部、  ４１  帯域内分散算出部、  ４２  帯域内平均ゲイン算出部、  ４３  信頼性情報変換部、  ４４  帯域内最大ゲイン算出部、  ４５  帯域内最小ゲイン算出部、  ４６  差分絶対値算出部、  ４７  重み係数生成部、  ４８  重み付け演算部、  ４９  重み係数決定部、  ５１  ブランチメトリック演算部、  ５２  メトリック重み係数乗算部、  ５３  加算・比較・選択部、  ５４  パスメモリ部。
【図１】
0005656617.tif 000009
【図２】
0005656617.tif 000010
【図３】
0005656617.tif 000011
【図４】
0005656617.tif 000012
【図５】
0005656617.tif 000013
【図６】
0005656617.tif 000014
【図７】
0005656617.tif 000015